(57)【要約】【課題】登録者が一時的に不在となった場合でも同行者による設備の制御を実現することができる設備の制御システムを提供する。【解決手段】設備の制御システムは、設備に対応して設けられ、第１識別体から第１識別情報を読み取り、第２識別体から第２識別情報を読み取る読取装置と、前記読取装置により読み取られた第１識別情報に基づいて前記第１識別体を認証し、前記読取装置が前記第１識別体から第１識別情報を読み取る際の第１受信電力強度と前記第２識別体から第２識別情報を読み取る際の第２受信電力強度との差が閾値以下の場合に、前記第１識別体に付与されている前記設備の制御の権限を前記第２識別体に一時的に付与する認証装置と、を備えた。【選択図】図２
2016173694.tif 000002
【特許請求の範囲】
【請求項１】
設備に対応して設けられ、第１識別体から第１識別情報を読み取り、第２識別体から第２識別情報を読み取る読取装置と、
前記読取装置により読み取られた第１識別情報に基づいて前記第１識別体を認証し、前記読取装置が前記第１識別体から第１識別情報を読み取る際の第１受信電力強度と前記第２識別体から第２識別情報を読み取る際の第２受信電力強度との差が閾値以下の場合に、前記第１識別体に付与されている前記設備の制御の権限を前記第２識別体に一時的に付与する認証装置と、
を備えた設備の制御システム。
【請求項２】
前記認証装置は、当該第１受信電力強度と当該第２受信電力強度との差が予め設定された時間だけ連続して閾値以下の場合に、前記第１識別体に付与されている前記設備の制御の権限を前記第２識別体に一時的に付与する請求項１に記載の設備の制御システム。
【請求項３】
前記認証装置は、前記設備が設けられている領域の外部の領域に設けられた読取装置が前記第２識別体から第２識別情報を読み取った場合に前記第２識別体に付与されている前記設備の制御の権限を取り消す請求項１または請求項２に記載の設備の制御システム。
【請求項４】
前記認証装置は、前記第１識別体に付与されている前記設備の制御の権限を前記第２識別体に一時的に付与した後に予め設定された時間が経過した場合に前記第２識別体に付与されている前記設備の制御の権限を取り消す請求項１から請求項３のいずれか一項に記載の設備の制御システム。
【請求項５】
前記認証装置は、前記読取装置により読み取られた第１識別情報に基づいて前記第１識別体を認証し、当該第１受信電力強度と当該第２受信電力強度との差が閾値以下であり、第２識別情報が第１識別情報に予め対応付けられている場合に、前記第１識別体に付与されている前記設備の制御の権限を前記第２識別体に一時的に付与する請求項１から請求項４のいずれか一項に記載の設備の制御システム。
【発明の詳細な説明】
【技術分野】
【０００１】
この発明は、設備の制御システムに関する。
【背景技術】
【０００２】
特許文献１は、入退室管理装置を開示する。当該入退室管理装置は、登録者の同行者に対して入室権限を付与する。
【先行技術文献】
【特許文献】
【０００３】
【特許文献１】特開２００９−２１１４３０号公報
【発明の概要】
【発明が解決しようとする課題】
【０００４】
しかしながら、特許文献１に記載のものにおいては、設備の制御の権限を考慮していない。
【０００５】
この発明は、上述の課題を解決するためになされた。この発明の目的は、登録者が一時的に不在となった場合でも同行者による設備の制御を実現することができる設備の制御システムを提供することである。
【課題を解決するための手段】
【０００６】
この発明に係る設備の制御システムは、設備に対応して設けられ、第１識別体から第１識別情報を読み取り、第２識別体から第２識別情報を読み取る読取装置と、前記読取装置により読み取られた第１識別情報に基づいて前記第１識別体を認証し、前記読取装置が前記第１識別体から第１識別情報を読み取る際の第１受信電力強度と前記第２識別体から第２識別情報を読み取る際の第２受信電力強度との差が閾値以下の場合に、前記第１識別体に付与されている前記設備の制御の権限を前記第２識別体に一時的に付与する認証装置と、を備えた。
【発明の効果】
【０００７】
これらの発明によれば、第１識別体から第１識別情報を読み取る際の第１受信電力強度と第２識別体から第２識別情報を読み取る際の第２受信電力強度との差が閾値以下の場合に、第１識別体に付与されている設備の制御の権限が第２識別体に一時的に付与される。このため、登録者が第１識別体を携帯し、同行者が第２識別体を携帯すれば、登録者が一時的に不在となった場合でも同行者による設備の制御を実現することができる。
【図面の簡単な説明】
【０００８】
【図１】この発明の実施の形態１における設備の制御システムによる設備の制御を説明するための概要図である。
【図２】この発明の実施の形態１における設備の制御システムによる設備の制御を説明するための概要図である。
【図３】この発明の実施の形態１における設備の制御システムによる設備の制御を説明するための概要図である。
【図４】この発明の実施の形態１における設備の制御システムにおける認証装置とビル管理装置とのハードウェア構成図である。
【図５】この発明の実施の形態１における設備の制御システムの動作を説明するためのフローチャートである。
【図６】この発明の実施の形態２における設備の制御システムによる設備の制御を説明するための概要図である。
【図７】この発明の実施の形態２における設備の制御システムの動作を説明するためのフローチャートである。
【図８】この発明の実施の形態３における設備の制御システムによる設備の制御を説明するための概要図である。
【図９】この発明の実施の形態３における設備の制御システムの動作を説明するためのフローチャートである。
【図１０】この発明の実施の形態４における設備の制御システムによる設備の制御を説明するための概要図である。
【図１１】この発明の実施の形態４における設備の制御システムの動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１から図３はこの発明の実施の形態１における設備の制御システムによる設備の制御を説明するための概要図である。
【００１１】
図１において、設備１は、建物の各領域に設けられる。例えば、設備１は、照明、空調等からなる。設備１の制御システムは、入退室管理装置２とビル管理装置３とを備える。
【００１２】
入退室管理装置２は、複数の読取装置４と認証装置５とを備える。図１においては、１つの読取装置４が示される。例えば、各読取装置４は、各領域の各出入口に設けられる。例えば、各読取装置４は、建物の各部屋の出入口に設けられる。認証装置５は、各読取装置４に接続される。認証装置５は、認証部５ａと判定部５ｂとを備える。認証部５ａは、各領域の進入の権限および設備１の自動制御の権限を与えられた登録者に対応した識別体の識別情報を記憶する。認証部５ａの入力側は、各読取装置４の出力側に接続される。判定部５ｂの入力側は、各読取装置４の出力側に接続される。判定部５ｂの出力側は、認証部５ａの入力側に接続される。
【００１３】
ビル管理装置３は、制御部３ａを備える。制御部３ａの入力側は、認証部５ａの出力側に接続される。制御部３ａの出力側は、設備１の入力側に接続される。
【００１４】
利用者Ａは、登録者である。利用者Ａは、第１識別体６ａを携帯する。利用者Ｂは、利用者Ａの同行者である。利用者Ｂは、第２識別体６ｂを携帯する。例えば、第１識別体６ａと第２識別体６ｂとは、ＩＣタグからなる。
【００１５】
図１に示すように、利用者Ａが読取装置４に近づくと、読取装置４は、第１識別体６ａから第１識別情報を読み取る。認証部５ａは、読取装置４により読み取られた第１識別情報が記憶されている場合に第１識別体６ａを認証する。この際、制御部３ａは、認証部５ａから送信された情報に基づいて設備１を自動制御する。
【００１６】
図２に示すように、利用者Ｂが利用者Ａの同行者として読取装置４に近づくと、読取装置４は、第２識別体６ｂから第２識別情報を読み取る。この時点においては、認証部５ａは、第２識別情報を記憶していない。このため、認証部５ａは、第２識別体６ｂを認証しない。
【００１７】
この際、判定部５ｂは、読取装置４が第１識別体６ａから第１識別情報を読み取る際の第１受信電力強度と第２識別体６ｂから第２識別情報を読み取る際の第２受信電力強度とを比較する。
【００１８】
判定部５ｂは、第２識別体６ｂを携帯した利用者Ｂが第１識別体６ａを携帯した利用者Ａの同行者であるか否かを予め設定された比較条件に基づいて判定する。例えば、判定部は、第１受信電力強度と第２受信電力強度との差が予め設定された閾値以下の場合に第２識別体６ｂを携帯した利用者Ｂが第１識別体６ａを携帯した利用者Ａの同行者であると判定する。
【００１９】
第２識別体６ｂを携帯した利用者Ｂが第１識別体６ａを携帯した利用者Ａの同行者であると判定された場合、判定部５ｂは、第２識別情報を認証部５ａに送信する。認証部５ａは、第２識別情報を一時的に記憶する。
【００２０】
図３に示すように、利用者Ａが所用で一時的に利用者Ｂから離れると、認証部５ａは、一時的に記憶された第２識別情報に基づいて第２識別体６ｂを認証する。この際、制御部３ａは、認証部５ａからの通知に基づいて照明等の設備１を自動制御する。
【００２１】
次に、図４を用いて、認証装置５とビル管理装置３との一例を説明する。
図４はこの発明の実施の形態１における設備の制御システムにおける認証装置とビル管理装置とのハードウェア構成図である。
【００２２】
認証装置５は、第１処理回路７ａを備える。第１処理回路７ａは、少なくとも一つの第１プロセッサ８ａと少なくとも一つの第１メモリ９ａとを備える。認証装置５の認証部５ａと判定部５ｂとの動作は、少なくとも一つの第１プロセッサ８ａが少なくとも一つの第１メモリ９ａに記憶されたプログラムを実行することにより実現される。
【００２３】
ビル管理装置３は、第２処理回路７ｂを備える。第２処理回路７ｂは、少なくとも一つの第２プロセッサ８ｂと少なくとも一つの第２メモリ９ｂとを備える。ビル管理装置３の制御部３ａの動作は、少なくとも一つの第２プロセッサ８ｂが少なくとも一つの第２メモリ９ｂに記憶されたプログラムを実行することにより実現される。
【００２４】
次に、図５を用いて、登録者の同行者に対して設備１の自動制御の権限を付与する際の制御システムの動作を説明する。
図５はこの発明の実施の形態１における設備の制御システムの動作を説明するためのフローチャートである。
【００２５】
ステップＳ１では、読取装置４は、識別体を検出したか否かを判定する。ステップＳ１で識別体が検出されない場合は、ステップＳ１が繰り返される。ステップＳ１で識別体が検出された場合は、ステップＳ２に進む。
【００２６】
ステップＳ２では、認証部５ａは、識別体を認証したか否かを判定する。ステップＳ２認証体が認証されない場合は、ステップＳ１に戻る。例えば、識別体が第２識別体６ｂの場合は、ステップＳ１に戻る。ステップＳ２で認証体が認証された場合は、ステップＳ３に進む。例えば、識別体が第１識別体６ａの場合は、ステップＳ３に進む。
【００２７】
ステップＳ３では、読取装置４は、２つ目の識別体を検出したか否かを判定する。ステップＳ３で２つ目の識別体が検出されない場合は、動作が終了する。ステップＳ３で２つ目の識別体が検出された場合は、ステップＳ４に進む。例えば、ステップＳ３で第２識別体６ｂが検出された場合は、ステップＳ４に進む。
【００２８】
ステップＳ４では、判定部５ｂは、１つ目の識別体からの受信電力強度と２つ目の識別体からの受信電力強度との差が閾値以下か否かを判定する。ステップＳ４で当該差が当該閾値以下でない場合は、動作が終了する。ステップＳ４で当該差が当該閾値以下の場合は、ステップＳ５に進む。
【００２９】
ステップＳ５では、認証部５ａは、２つ目の識別体の識別情報を設備１の自動制御の権限に対応付けて一時的に記憶する。その後、動作が終了する。
【００３０】
以上で説明した実施の形態１によれば、第１識別体６ａから第１識別情報を読み取る際の第１受信電力強度と第２識別体６ｂから第２識別情報を読み取る際の第２受信電力強度との差が閾値以下の場合に、第１識別体６ａに付与されている設備１の自動制御の権限が第２識別体６ｂに一時的に付与される。このため、登録者が第１識別体６ａを携帯し、同行者が第２識別体６ｂを携帯すれば、登録者が一時的に不在となった場合でも同行者による設備１の自動制御を実現することができる。
【００３１】
実施の形態２．
図６はこの発明の実施の形態２における設備の制御システムによる設備の制御を説明するための概要図である。なお、実施の形態１の部分と同一又は相当部分には同一符号が付される。当該部分の説明は省略される。
【００３２】
実施の形態２の入退室管理装置２は、利用者Ａの付近を通りかかった利用者Ｂを利用者Ａの同行者と判定しない。
【００３３】
次に、図７を用いて、制御システムの動作を説明する。
図７はこの発明の実施の形態２における設備の制御システムの動作を説明するためのフローチャートである。
【００３４】
実施の形態１においては、ステップＳ４で当該差が当該閾値以下の場合は、ステップＳ５に進む。これに対し、実施の形態２においては、ステップＳ４で当該差が当該閾値以下の場合は、ステップＳ１１に進む。
【００３５】
ステップＳ１１では、認証部５ａは、２つ目の識別体の検出後、予め設定された時間が経過したか否かを判定する。例えば、認証部５ａは、２つ目の識別体の検出後、１０秒が経過したか否かを判定する。ステップＳ１１で予め設定された時間が経過していない場合は、ステップＳ３に戻る。ステップＳ１１で予め設定された時間が経過した場合は、ステップＳ５に進む。
【００３６】
以上で説明した実施の形態２によれば、当該第１受信電力強度と当該第２受信電力強度との差が予め設定された時間だけ連続して閾値以下の場合に、第１識別体６ａに付与されている設備１の自動制御の権限が第２識別体６ｂに一時的に付与される。このため、登録者の付近を通りかかった利用者が登録者の同行者と判定されることを防止できる。
【００３７】
実施の形態３．
図８はこの発明の実施の形態３における設備の制御システムによる設備の制御を説明するための概要図である。なお、実施の形態１または実施の形態２の部分と同一又は相当部分には同一符号が付される。当該部分の説明は省略される。
【００３８】
実施の形態３の設備１の制御システムは、実施の形態１または実施の形態２と同様に第１識別体６ａに付与されている設備１の自動制御の権限を第２識別体６ｂに一時的に付与する。
【００３９】
実施の形態３の設備１の制御システムは、利用者Ｂが当該領域の外部に移動した場合に第２識別体６ｂに付与されている設備１の自動制御の権限を取り消す。例えば、当該領域の外部の読取装置４が第２識別体６ｂから第２識別情報を読み取った場合、認証装置５は、第２識別体６ｂに付与されている設備１の自動制御の権限を取り消す。その後、当該領域の読取装置４が第２識別体６ｂから第２識別情報を読み取っても、設備１は自動制御されない。
【００４０】
次に、図９を用いて、第２識別体６ｂに付与されている設備１の自動制御の権限を取り消す際の制御システムの動作を説明する。
図９はこの発明の実施の形態３における設備の制御システムの動作を説明するためのフローチャートである。
【００４１】
ステップＳ２１では、認証部５ａは、読取装置４が読み取った識別情報が一時的に記憶された識別情報か否かを判定する。ステップＳ２１で読取装置４が読み取った識別情報が一時的に記憶された識別情報でない場合は、ステップＳ２１が繰り返される。例えば、読取装置４が読み取った識別情報が第１識別情報の場合は、ステップＳ２１が繰り返される。ステップＳ２１で読取装置４が読み取った識別情報が一時的に記憶された識別情報の場合は、ステップＳ２２に進む。例えば、読取装置４が読み取った識別情報が第２識別情報の場合は、ステップＳ２２に進む。
【００４２】
ステップＳ２２では、認証部５ａは、当該識別情報を読み取った読取装置４が当該領域の外部の読取装置４であるか否かを判定する。例えば、認証部５ａは、当該識別情報を読み取った読取装置４が建物の出入口の読取装置４であるか否かを判定する。ステップＳ２２で当該識別情報を読み取った読取装置４が当該領域の読取装置４の場合は、ステップＳ２１に戻る。ステップＳ２２で当該識別情報を読み取った読取装置４が当該領域の外部の読取装置４の場合は、ステップＳ２３に進む。
【００４３】
ステップＳ２３では、認証部５ａは、当該識別情報の記憶を消去する。その後、動作が終了する。
【００４４】
以上で説明した実施の形態３によれば、当該領域の外部の読取装置４が第２識別体６ｂから第２識別情報を読み取った場合、第２識別体６ｂに付与されている設備１の自動制御の権限が取り消される。このため、同行者に対して設備１の自動制御の権限を無用に与え続けることを防止できる。その結果、同行者と判定される利用者が際限なく増えることを防止できる。
【００４５】
なお、第１識別体６ａに付与されている設備１の自動制御の権限を第２識別体６ｂに一時的に付与した後に予め設定された時間が経過した場合に第２識別体６ｂに付与されている設備１の自動制御の権限を取り消してもよい。例えば、第１識別体６ａに付与されている設備１の自動制御の権限を第２識別体６ｂに一時的に付与した後に１時間が経過した場合に第２識別体６ｂに付与されている設備１の自動制御の権限を取り消してもよい。例えば、第１識別体６ａに付与されている設備１の自動制御の権限を第２識別体６ｂに一時的に付与した後に２４時間が経過した場合に第２識別体６ｂに付与されている設備１の自動制御の権限を取り消してもよい。例えば、第１識別体６ａに付与されている設備１の自動制御の権限を第２識別体６ｂに一時的に付与した後に日付が変わった場合に第２識別体６ｂに付与されている設備１の自動制御の権限を取り消してもよい。これらの場合は、ステップＳ２２において、設定した時間が経過したか否かを判定すればよい。これらの場合も、同行者に対して設備１の自動制御の権限を無用に与え続けることを防止できる。その結果、同行者と判定される利用者が際限なく増えることを防止できる。
【００４６】
実施の形態４．
図１０はこの発明の実施の形態４における設備の制御システムによる設備の制御を説明するための概要図である。なお、実施の形態１から実施の形態３のいずれか１つの部分と同一又は相当部分には同一符号が付される。当該部分の説明は省略される。
【００４７】
実施の形態４においては、利用者Ｂは、利用者Ａの同行者となり得る者として予め設定される。利用者Ｃは、利用者Ａの同行者となり得る者として設定されない。具体的には、認証部５ａは、利用者Ｂが携帯する第２識別体６ｂに対応した第２識別情報を利用者Ａが携帯する第１識別体６ａに対応した第１識別情報に対応付けて記憶する。認証部５ａは、利用者Ｃが携帯する第３識別体６ｃに対応した第３識別情報を利用者Ａが携帯する第１識別体６ａに対応した第１識別情報に対応付けて記憶しない。
【００４８】
利用者Ｂと利用者Ｃとが利用者Ａに同行した場合、制御システムは、第１識別体６ａに付与されている設備１の自動制御の権限を第２識別体６ｂに一時的に付与する。制御システムは、第１識別体６ａに付与されている設備１の自動制御の権限を第３識別体６ｃに付与しない。
【００４９】
その後、当該領域の読取装置４が第２識別体６ｂから第２識別情報を読み取った場合、設備１は自動制御される。これに対し、当該領域の読取装置４が第３識別体６ｃから第３識別情報を読み取っても、設備１は自動制御されない。
【００５０】
次に、図１１を用いて、制御システムの動作を説明する。
図１１はこの発明の実施の形態４における設備の制御システムの動作を説明するためのフローチャートである。
【００５１】
実施の形態１においては、ステップＳ３で２つ目の識別体が検出された場合は、ステップＳ４に進む。これに対し、実施の形態４においては、ステップＳ３で２つ目の識別体が検出された場合は、ステップＳ３１に進む。
【００５２】
ステップＳ３１では、認証部５ａは、２つ目の識別情報が１つ目の識別情報に予め対応付けられているか否かを判定する。ステップＳ３１で２つ目の識別情報が１つ目の識別情報に予め対応付けられていない場合は、動作が終了する。ステップＳ３１で２つ目の識別情報が１つ目の識別情報に予め対応付けられている場合は、ステップＳ５に進む。
【００５３】
以上で説明した実施の形態４によれば、当該第１受信電力強度と当該第２受信電力強度との差が閾値以下であり、第２識別情報が第１識別情報に予め対応付けられている場合に、第１識別体６ａに付与されている設備１の自動制御の権限が第２識別体６ｂに一時的に付与される。例えば、登録者と同じ階床を利用する利用者の識別情報を登録者の識別情報に対応付けておけばよい。例えば、登録者と同じ所属の利用者の識別情報を登録者の識別情報に対応付けておけばよい。これらの場合、登録者と関係の薄い利用者が同行者として判定されることを防止できる。
【符号の説明】
【００５４】
１  設備、  ２  入退室管理装置、  ３  ビル管理装置、  ３ａ  制御部、  ４  読取装置、  ５  認証装置、  ５ａ  認証部、  ５ｂ  判定部、  ６ａ  第１識別体、  ６ｂ  第２識別体、  ６ｃ  第３識別体、  ７ａ  第１処理回路、  ７ｂ  第２処理回路、  ８ａ  第１プロセッサ、  ８ｂ  第２プロセッサ、  ９ａ  第１メモリ、  ９ｂ  第２メモリ
【図１】
2016173694.tif 000003
【図２】
2016173694.tif 000004
【図３】
2016173694.tif 000005
【図４】
2016173694.tif 000006
【図５】
2016173694.tif 000007
【図６】
2016173694.tif 000008
【図７】
2016173694.tif 000009
【図８】
2016173694.tif 000010
【図９】
2016173694.tif 000011
【図１０】
2016173694.tif 000012
【図１１】
2016173694.tif 000013